(57)【要約】【課題】場所関連情報が所定のタイミングで更新され得る更新情報であることを視覚情報でユーザに報知すると共に、当該場所関連情報の更新状況を視覚情報でユーザに報知することができる表示制御装置を提供する。【解決手段】表示制御部は、場所情報及び時間情報に関連付けられている場所関連情報を表示部に表示する。そして、その表示制御部は、場所関連情報を表示部に表示する場合に、この場所関連情報が所定のタイミングで更新され得る更新情報であることを示す視覚情報であってこの場所関連情報の更新状況を示す視覚情報を、場所関連情報に関連付けて表示部に表示する。【選択図】図１
2014182556.tif 000002
【特許請求の範囲】
【請求項１】
場所情報及び時間情報に関連付けられている場所関連情報を表示部に表示する表示制御部
を備え、
前記表示制御部は、前記場所関連情報を前記表示部に表示する場合に、当該場所関連情報が所定のタイミングで更新され得る更新情報であることを示す視覚情報であって当該場所関連情報の更新状況を示す視覚情報を、前記場所関連情報に関連付けて表示部に表示する
ことを特徴とする表示制御装置。
【請求項２】
前記表示制御部は、前記所定のタイミングにおける前記場所情報と前記時間情報との入力操作に基づいて、前記場所関連情報を表示部に表示する
ことを特徴とする請求項１に記載の表示制御装置。
【請求項３】
前記更新状況は、入力操作によって指定された時間から当該入力操作によって表示部に表示される場所関連情報に関連付けられている時間情報の示す時間までの期間によって定まる値、または、現在から当該入力操作によって表示部に表示される場所関連情報に関連付けられている時間情報の示す時間までの期間によって定まる値、または、当該入力操作によって表示部に表示される場所関連情報に関連付けられている時間情報の示す時間までの場所関連情報の更新頻度の何れかである
ことを特徴とする請求項１または請求項２に記載の表示制御装置。
【請求項４】
前記表示制御部は、複数の場所関連情報を表示部に表示し、新たに時間情報を取得した場合には、当該取得した時間情報の示す時間を基準として最新の時間情報に関連付けられた前記複数の場所関連情報をそれぞれ読み出して表示部の表示を更新する
ことを特徴とする請求項１から請求項３の何れか一項に記載の表示制御装置。
【請求項５】
前記表示制御部は、前記場所情報の変更指示を取得して、当該変更指示で特定された場所情報に関連付けられた場所関連情報を当該変更指示に基づいて前記表示部に表示する際に、前記変更指示を取得した時点で表示していた他の場所関連情報の表示の際に入力操作によって指定された時間を基準として最新の時間情報に関連付けられた場所関連情報を読み出して表示部に表示する
ことを特徴とする請求項１から請求項４の何れか一項に記載の表示制御装置。
【請求項６】
前記表示制御部は、複数の場所関連情報を表示部に表示し、前記複数の場所関連情報における１つの場所関連情報に対して前記時間情報の変更指示を取得した場合、当該１つの場所関連情報と共に、当該１つの場所関連情報に連動する他の場所関連情報とを前記時間情報の変更指示を基準とする最新情報に更新して表示部に表示する
ことを特徴とする請求項１から請求項５の何れか一項に記載の表示制御装置。
【請求項７】
場所情報及び時間情報に関連付けられている場所関連情報を表示部に表示し、
前記場所関連情報を前記表示部に表示する場合に、当該場所関連情報が所定のタイミングで更新され得る更新情報であることを示す視覚情報であって当該場所関連情報の更新状況を示す視覚情報を、前記場所関連情報に関連付けて表示部に表示する
ことを特徴とする表示制御方法。
【請求項８】
表示制御装置のコンピュータを、
場所情報及び時間情報に関連付けられている場所関連情報を表示部に表示する表示制御手段
として機能させ、
前記表示制御手段は、前記場所関連情報を前記表示部に表示する場合に、当該場所関連情報が所定のタイミングで更新され得る更新情報であることを示す視覚情報であって当該場所関連情報の更新状況を示す視覚情報を、前記場所関連情報に関連付けて表示部に表示する
ことを特徴とするプログラム。
【発明の詳細な説明】
【技術分野】
【０００１】
本発明は、表示情報を更新する表示制御装置、表示制御方法及びプログラムに関する。
【背景技術】
【０００２】
旅行などで役立つ観光情報、為替、株価情報といった情報の一部が更新されるようなコンテンツが多く配信されている。これらのコンテンツは、現時点での最新情報を見ることができる。
【０００３】
特許文献１には、ユーザが情報データ表示箇所に表示する内容を設定でき、各情報データ表示箇所の内容をリアルタイムに更新表示することができ、更に更新のあった項目を点滅させるなど更新発生を強調してユーザに知らせる技術が記載されている。
【先行技術文献】
【特許文献】
【０００４】
【特許文献１】特開平２００４−１６４４６０号公報
【発明の概要】
【発明が解決しようとする課題】
【０００５】
しかしながら、特許文献１に記載されている技術は、リアルタイムで最新データに更新する技術であり、この技術では、過去の任意の時点における情報を表示することができないという問題が生じる。また、特許文献１に記載されている技術は、更新のあった項目を点滅させるなど更新発生を強調してユーザに知らせる技術であるが、この技術では、更新のあったデータが今回のデータ更新までどの程度更新されていなかったのか、またどの程度の頻度でデータ更新が行われているのかなど更新状況をユーザに通知することができないという問題がある。
【０００６】
そこでこの発明は、上記の課題を解決することのできる表示制御装置、表示制御方法及びプログラムを提供することを目的としている。
【課題を解決するための手段】
【０００７】
上記目的を達成するために、本発明は、場所情報及び時間情報に関連付けられている場所関連情報を表示部に表示する表示制御部を備え、前記表示制御部は、前記場所関連情報を前記表示部に表示する場合に、当該場所関連情報が所定のタイミングで更新され得る更新情報であることを示す視覚情報であって当該場所関連情報の更新状況を示す視覚情報を、前記場所関連情報に関連付けて表示部に表示する
ことを特徴とする表示制御装置である。
【０００８】
また本発明は、場所情報及び時間情報に関連付けられている場所関連情報を表示部に表示し、前記場所関連情報を前記表示部に表示する場合に、当該場所関連情報が所定のタイミングで更新され得る更新情報であることを示す視覚情報であって当該場所関連情報の更新状況を示す視覚情報を、前記場所関連情報に関連付けて表示部に表示することを特徴とする表示制御方法である。
【０００９】
また本発明は、表示制御装置のコンピュータを、場所情報及び時間情報に関連付けられている場所関連情報を表示部に表示する表示制御手段として機能させ、前記表示制御手段は、前記場所関連情報を前記表示部に表示する場合に、当該場所関連情報が所定のタイミングで更新され得る更新情報であることを示す視覚情報であって当該場所関連情報の更新状況を示す視覚情報を、前記場所関連情報に関連付けて表示部に表示する
ことを特徴とするプログラムである。
【発明の効果】
【００１０】
本発明によれば、場所関連情報が所定のタイミングで更新され得る更新情報であることを視覚情報でユーザに報知すると共に、当該場所関連情報の更新状況を視覚情報でユーザに報知することができる。
【図面の簡単な説明】
【００１１】
【図１】本発明の表示制御装置１０の最小構成を示す図である。
【図２】本発明の第一の実施形態による表示制御装置１０の構成を示す図である。
【図３】記憶部１１１の記憶するデータテーブルの例を示す図である。
【図４】記憶部１１１の記憶するデータテーブルの例を示す図である。
【図５】表示制御装置１０のアプリケーションプログラムの起動時の初期画面の表示例を示す図である。
【図６】表示制御装置１０のアプリケーションプログラムにおいて都市を紹介する画面の表示例を示す図である。
【図７】本発明の第一の実施形態による表示制御装置１０の処理フローを示す図である。
【図８】記憶部１１１の記憶するデータテーブルの例を示す図である。
【図９】記憶部１１１の記憶するデータテーブルの例を示す図である。
【図１０】記憶部１１１の記憶するデータテーブルの例を示す図である。
【図１１】記憶部１１１の記憶するデータテーブルの例を示す図である。
【図１２】記憶部１１１の記憶するデータテーブルの例を示す図である。
【図１３】表示制御装置１０のアプリケーションプログラムにおいて都市を紹介する画面の表示例を示す図である。
【図１４】本発明の第二の実施形態による表示制御装置１０の処理フローを示す図である。
【図１５】表示制御装置１０のアプリケーションプログラムにおいて都市を紹介する画面の一例を示す図である。
【図１６】本発明の第三の実施形態による表示制御装置１０の処理フローを示す図である。
【発明を実施するための形態】
【００１２】
図１は、本発明の表示制御装置１０の最小構成を示す図である。
本発明の表示制御装置１０は、図１で示すように、少なくとも、表示制御部１０１を備える。
ここで、表示制御部１０１は、場所情報及び時間情報に関連付けられている場所関連情報を表示部に表示する機能部である。また、表示制御部１０１は、場所関連情報を表示部に表示する場合に、当該場所関連情報が所定のタイミングで更新され得る更新情報であることを示す視覚情報であって当該場所関連情報の更新状況を示す視覚情報を、場所関連情報に関連付けて表示部に表示する機能部である。
この表示制御部１０１は制御部（例えばＣＰＵ、Ｃｅｎｔｒａｌ  Ｐｒｏｃｃｅｓｓｉｎｇ  Ｕｎｉｔ）がプログラムを実行することにより、表示制御装置１０に構成される。
【００１３】
＜第一の実施形態＞
図２は、本発明の第一の実施形態による表示制御装置１０の構成を示す図である。
図２で示すように、第一の実施形態による表示制御装置１０は、図１で示した表示制御装置１０の最小構成を示す機能に加え、表示部１１０と、記憶部１１１とを備える。
ここで、表示部１１０は、例えば液晶パネル、有機ＥＬパネルなどであり、表示制御部１０１の表示制御に基づいて、取得した場所関連情報を表示する表示部である。
また、記憶部１１１は、表示制御装置１０におけるプログラムや種々のデータを記憶する記憶部である。
【００１４】
図３と図４は、記憶部１１１の記憶するデータテーブルの例を示す図である。
この図３で示される記憶部１１１のデータテーブルには、旅行などに役立つ情報を提供する表示制御装置１０のアプリケーションプログラムにおいてユーザが選択可能な地域と、その地域においてユーザが選択可能な国と、その国においてユーザが選択可能な都市とが関連付けて記録されている。
例えば、記憶部１１１のデータテーブルには、世界における一地域を示すアジアに、日本、シンガポール、タイ、ベトナム、フィリピンなどのアジアの国名が関連付けて記憶されている。また、記憶部１１１のデータテーブルには、日本に、東京、横浜、大阪、名古屋、札幌、福岡、仙台、広島、神戸などの日本の都市名が関連付けて記録されている。
また、図４で示される記憶部１１１の記憶するデータテーブルには、図３で示した都市と、その都市の画像データと、その画像の更新日時が関連付けられて記録されている。
【００１５】
図５は、表示制御装置１０のアプリケーションプログラムの起動時の初期画面の表示例を示す図である。
この図は、表示制御装置１０がアプリケーションプログラムを起動したときに表示部１１０の表示する初期画面であり、ユーザが地域を選択するための画面である。
表示部１１０は、例えば、図５で示すように、世界を７つの地域とその他の地域に分類し、それぞれの地域に関連付けられたアイコンを表示している。
また、ユーザが初期画面から国や都市を検索できるように、入力欄と検索実行ボタンとが備えられてもよい。
【００１６】
図６は、表示制御装置１０のアプリケーションプログラムにおいて都市を紹介する画面の表示例を示す図である。
この画面は、表示制御装置１０のアプリケーションプログラムにおいて、ユーザが情報を表示したい都市を選択した際に表示部１１０に表示される画面である。この図で示す例では、表示部１１０の表示する風景画像は本発明における場所関連情報であり、ユーザの指定した年月日と時刻との組み合わせで示される時間における最新情報に更新される可能性のある情報である。表示制御部１０１は、この図で示すように、表示部１１０の表示画面の右上方に風景画像を表示している。また、表示制御部１０１は、その風景画像の下方に年月日と時刻の組み合わせを変更できる時間変更バーを表示している。そして、表示部１１０は、現在表示している年月日と時刻の組み合わせに関連付けられている風景画像を表示している。このとき、ユーザが時間変更バーを操作し年月日や時刻を変更すると、表示制御部１０１は、そのユーザによる時間変更バーの操作に応じた年月日と時刻に関連付けられている風景画像に表示を変更する。
【００１７】
また、表示部１１０は、風景画像の周囲に例えば青色の破線を表示し、その青色の破線により、年月日や時刻を変更するユーザ操作が行われることでデータを更新できる情報であることをユーザに知らせる。また、表示部１１０は、その青色の破線の太さにより、現在表示している年月日と時刻の組み合わせで示される時点における、画像の更新状況をユーザに知らせる。ただし、更新状況とは、ユーザの入力操作によって指定された時間から当該入力操作によって表示部１１０に表示される場所関連情報に関連付けられている時間情報の示す時間までの期間によって定まる値、すなわち指定した時間と実際に表示されるデータの生成された時間との差である。また、更新状況とは、現在からユーザの入力操作によって表示部１１０に表示される場所関連情報に関連付けられている時間情報の示す時間までの期間によって定まる値、すなわち現在と実際に表示されるデータの生成された時間との差であってもよい。また、更新状況とは、ユーザの入力操作によって表示部１１０に表示される場所関連情報に関連付けられている時間情報の示す時間までの場所関連情報の更新頻度、すなわち指定した時間における更新頻度（更新された回数／単位時間）であってもよい。
また、表示部１１０は、例えば、風景画像に写っている都市の歴史に関する解説などの情報を表示する。この解説などの情報は、周囲に青色の破線などを表示しておらず、情報が更新されない固定の情報であることを意味する。
【００１８】
図７は、本発明の第一の実施形態による表示制御装置１０の処理フローを示す図である。
次に、本実施形態による表示制御装置１０の処理フローを説明する。
本実施形態による表示制御装置１０の処理フローは、ユーザが表示制御装置１０において、図２〜図６で示した表示制御装置１０のアプリケーションプログラムを使用した場合の処理フローである。
【００１９】
まず、ユーザは、表示制御装置１０のアプリケーションプログラムを起動するボタンや表示制御装置１０の表示部１１０に表示されているアプリケーションアイコンをタップするなどのユーザ操作を行う。すると、表示制御装置１０は、そのユーザ操作に応じて、表示制御装置１０のアプリケーションプログラムを起動する（ステップＳ１）。そして、表示制御装置１０の表示制御部１０１は、アプリケーションプログラムの初期画面を表示部１１０に表示する（ステップＳ２）。この表示部１１０の表示する初期画面は、例えば、図５で示したような画面である。そして、ユーザは、その初期画面から都市に関連付けられたアイコンとタップする、あるいは都市名を入力欄に文字入力し検索を実行するなど所定のユーザ操作を行い、情報を表示させたい都市を選択する。すると、表示制御部１０１は、ユーザの選択した都市に関する現時点での最新情報を記憶部１１１から読み出す。そして、表示制御部１０１は読み出した表示部１１０に表示する（ステップＳ３）。図６がこのときの表示例である。
【００２０】
ここで、ユーザが直接入力または時間変更バーを操作するにより年月日と時刻を指定し１つの情報を更新する所定のユーザ操作を行う。すると、表示制御部１０１は、そのユーザ操作に応じて指定された年月日と時刻の時点での最新の風景画像に表示部１１０の表示を更新する（ステップＳ４）。例えば、図６で示した表示制御装置１０のアプリケーションプログラムの表示画面において、ユーザがユーザ操作により２０００年１月２日２１時０１分０４秒を指定したとする。そして、図４で示したデータテーブルの画像データが年月日と時刻の古い順に画像データ１から順に記憶されている場合、表示制御部１０１は、ユーザが指定した２０００年１月２日２１時０１分０４秒の時点で最新の画像データ、すなわち、２０００年１月１日１０時５１分３８秒の画像データ２を表示部１１０に表示する。
また、表示制御部１０１は、更新状況として指定した時間と実際に表示されるデータの生成された時間との差を算出し、その算出した時間差と線の太さの対応関係を示すデータテーブルを参照して、更新された情報の周囲の青色の破線を更新状況に応じた太さの線で表示する（ステップＳ５）。
【００２１】
以上、本発明の第一の実施形態による表示制御装置１０の処理フローについて説明したが、第一の実施形態による表示制御装置１０の処理により、ユーザの指定した過去の任意の時間（任意の年月日と時刻）における最新情報を表示することができる。また同時に、更新された情報であることを示す周囲の青色の破線の太さにより更新状況を視覚的にユーザに報知することで、指定した時間と実際に表示されるデータの生成された時間との差、または現在と実際に表示されるデータの生成された時間との差、または指定した時間における更新頻度（更新された回数／単位時間）といった更新状況をユーザに報知するができる。
【００２２】
＜第二の実施形態＞
本発明の第二の実施形態による表示制御装置１０について説明する。
第二の実施形態による表示制御装置１０は、図２で示した第一の実施形態による表示制御装置１０と同様の構成であり、表示制御部１０１の機能が異なる。
ここで、表示制御部１０１は、複数の場所関連情報を表示部１１０に表示し、その複数の場所関連情報における１つの場所関連情報に対して時間情報の変更指示を入力した場合、その１つの場所関連情報と共に、その１つの場所関連情報に連動する他の場所関連情報を時間情報の変更指示を基準とする最新情報に更新して表示部１１０に表示する機能部である。
【００２３】
図８〜図１２は、記憶部１１１の記憶するデータテーブルの例を示す図である。
この図８で示される記憶部１１１のデータテーブルには、図３で示した、表示制御装置１０のアプリケーションプログラムにおいてユーザが選択可能な地域と、その地域においてユーザが選択可能な国と、その国においてユーザが選択可能な都市に加えて、その都市においてユーザが選択可能なホテルが関連付けて記録されている。
また、図９で示される記憶部１１１の記憶するデータテーブルには、図８で示すホテルと、そのホテルの画像データと、その画像の更新日時が関連付けられて記録されている。
また、図１０で示される記憶部１１１の記憶するデータテーブルには、選択可能な都市の時間毎の天候及び気温が記録されている。
また、図１１で示される記憶部１１１の記憶するデータテーブルには、図８で示したホテルの時間毎の価格が記録されている。
また、図１２で示される記憶部１１１の記憶するデータテーブルには、時間毎の為替レートが記録されている。
【００２４】
図１３は、表示制御装置１０のアプリケーションプログラムにおいて都市を紹介する画面の表示例を示す図である。
この画面は、表示制御装置１０のアプリケーションプログラムにおいて、ユーザが情報を表示したい都市とその都市に存在するホテルを選択し、更にユーザが時間を指定した際に表示される画面である。この表示画面には、ユーザ操作により情報の更新可能な情報として都市の風景画像、ホテル画像、天候、気温、為替レート、宿泊代が表示されている。これらの情報のうち、風景画像とホテル画像は周囲に青色の破線が表示されており、年月日や時刻を変更するための時間変更バーをユーザが操作することにより画像を更新することができる。また、ユーザが指定した年月日と時刻の時点での更新状況が周囲の青色の破線の太さでユーザに報知されている。また、天候、気温、為替レート、宿泊代は、周囲に赤色の実線が表示されており、他の更新可能な情報と関連付けられて、他の更新可能な情報が更新されると、それに応じて情報が更新される情報である。そして、天候、気温、為替レート、宿泊代は、ユーザの指定した時間における最新情報で表示部１１０に表示されている。天候、気温、為替レート、宿泊代の周囲の赤色の実線の太さにより、ユーザが指定した年月日と時刻の時点での更新状況がユーザに報知されている。
また、更新されない固定の情報として、ホテルの予約アイコン、ホテルの公式サイトへのリンクアイコン、コミュニティへのリンクアイコン、都市の解説などが画面に表示されている。
【００２５】
図１４は、本発明の第二の実施形態による表示制御装置１０の処理フローを示す図である。
次に、本実施形態による表示制御装置１０の処理フローを説明する。
本実施形態による表示制御装置１０の処理フローは、ユーザが、図２と、図４〜図５と、図８〜図１３とで示した表示制御装置１０のアプリケーションプログラムを使用した場合の処理フローである。なお、本実施形態において、１つの更新可能な情報に対して、他のすべての更新可能な情報が関連付けられている例である。また、ユーザが１つの更新可能な情報に対して時間を指定するとその情報が更新され、それに応じて他のすべての更新可能な情報が更新される場合の例である。なお、１つの更新可能な情報と他の更新可能な情報との関連付けのデータテーブルは、例えば記憶部１１１に記録されている。
【００２６】
まず、ユーザは、表示制御装置１０のアプリケーションプログラムを起動するボタンや表示制御装置１０の表示部１１０の表示するアプリケーションアイコンをタップするなどのユーザ操作を行う。すると、表示制御装置１０は、そのユーザ操作に応じて、アプリケーションプログラムを起動する（ステップＳ１）。そして、表示制御装置１０の表示制御部１０１は、アプリケーションプログラムの初期画面を表示部１１０に表示する（ステップＳ２）。このときの表示部１１０の初期画面は、例えば、図５で示したような画面である。そして、ユーザは、その初期画面からアイコンタップや文字入力などの所定のユーザ操作を行い、情報を表示させたい都市を選択する。すると、表示制御部１０１は、ユーザの選択した都市に関する現時点における最新情報を表示部１１０に表示する（ステップＳ３）。図１３がこのときの表示例である。例えば、ユーザが情報を表示させたい都市として「東京」を選択し、東京の「Ａホテル」を選択したとする。この場合、図１３における表示画面の風景画像として例えば浅草の雷門の画像が表示され、ホテル画像としてＡホテルの外観画像が表示される。
【００２７】
ここで、ユーザが例えば風景画像に対する時間変更バーを操作して年月日と時刻を指定し１つの情報を更新する所定のユーザ操作を行う。すると、表示制御部１０１は、そのユーザ操作に応じて指定された年月日と時刻の時点で最新の情報の風景画像に表示部１１０の表示を更新する（ステップＳ４）。例えば、図１３で示した表示制御装置１０のアプリケーションプログラムの画面において、ユーザが風景画像の年月日や時刻を変更するための時間変更バーを操作して２０００年１月２日２１時０１分０４秒を指定したとする。そして、図４で示したデータテーブルにおいて、画像データが年月日と時刻の古い順に画像データ１から順に記憶されている場合、表示制御部１０１は、ユーザが指定した２０００年１月２日２１時０１分０４秒の時点で最新の画像データ、すなわち、２０００年１月１日１０時５１分３８秒の画像データ２を表示部１１０に表示する。
【００２８】
また、このとき、表示制御部１０１は、記憶部１１１に記録されている１つの更新可能な情報と他の更新可能な情報との関連付けのデータテーブルに基づいて、ユーザの更新した情報に関連付けられている、図８〜図１２で示したデータテーブルに対応する更新可能な情報をユーザが指定した２０００年１月２日２１時０１分０４秒の時点で最新のデータに更新する（ステップＳ６）。例えば、図１３で示した表示画面において、風景画像の年月日や時刻を変更するための時間変更バーを操作して２０００年１月２日２１時０１分０４秒を指定したとする。そして、記憶部１１１に記憶されている１つの更新可能な情報と他の更新可能な情報との関連付けのデータテーブルにより、風景画像に対してホテル画像と天候と気温と為替レートと宿泊代が関連付けられているとする。この場合、ホテル画像は、図９で示したデータテーブルにおいてユーザの指定した時間２０００年１月２日２１時０１分０４秒での最新のホテル画像である１９９９年８月４日８時０分１８秒の画像に更新される。また、風景画像に関連付けられているその他の更新可能な情報に対しても同様に、図１０〜図１２で示したデータテーブルにおいてユーザの指定した時間２０００年１月２日２１時０１分０４秒での最新情報に更新される。
なお、本実施形態では、ステップＳ６においてユーザが更新した情報にすべての更新可能な情報が関連付けられているものとして示したが、ユーザが更新した情報に関連付けられている情報のみを更新すればよい。例えば、風景画像が天候と温度とに関連付けられており、ホテル画像と為替レートと宿泊代とには関連付けられていない場合に、ユーザが風景画像の年月日や時刻を変更するための時間変更バーを操作して２０００年１月２日２１時０１分０４秒を指定したとする。すると、表示制御部１０１は、２０００年１月２日２１時０１分０４秒の時点において最新の情報に天候と気温の情報を更新する。また、表示制御部１０１は、ユーザが風景画像の年月日や時刻を変更するための時間変更バーを操作して２０００年１月２日２１時０１分０４秒を指定する前の情報のままホテル画像と、為替レートと、宿泊代とを表示部１１０に表示する。
【００２９】
また、表示制御部１０１は、更新状況として指定した時間と実際に表示されるデータの生成された時間との差を算出し、その算出した時間差と線の太さの対応関係を示すデータテーブルを参照して、更新されたすべての情報の周囲の青色の破線または赤色の実線を更新状況に応じた太さの線で表示する（ステップＳ７）。
なお、図１３で示した表示制御装置１０のアプリケーションプログラムにおいて都市を紹介する画面の下方にある更新アイコンは、すべての更新可能な情報を現在表示中の年月日と時刻の時点での最新情報に更新するためのアイコンである。ユーザがこのアイコンを操作し、ステップＳ６で表示制御部１０１がその操作に応じてすべての更新可能な情報を更新した場合も、ステップＳ７で表示制御部１０１は、指定した時間と実際に表示されるデータの生成された時間との差を算出し、その算出した時間差と線の太さの対応関係を示すデータテーブルを参照して、更新されたすべての情報の周囲の青色の破線または赤色の実線を更新状況に応じた太さの線で表示する。
なお、天候、気温、為替レート、宿泊代は、プルダウンメニューから時間をユーザが選択することにより、その選択した時間における最新情報で表示部１１０に表示されてもよい。
また、ステップＳ７の処理で、更新状況を現在と実際に表示されるデータの生成された時間との差とした場合、表示制御部１０１は、更新状況として現在の時間と実際に表示されるデータの生成された時間との差を算出し、その算出した時間差と線の太さの対応関係を示すデータテーブルを参照して、更新されたすべての情報の周囲の青色の破線または赤色の実線を更新状況に応じた太さの線で表示してもよい。また、ステップＳ７の処理で、更新状況を指定した時間における更新頻度（更新された回数／単位時間）とした場合、表示制御部１０１は、（最も古いデータから実際に表示されるデータまでのデータ数）を（最も古いデータの生成された時間とユーザの指定した時間との差）で除算し、その算出した頻度と線の太さの対応関係を示すデータテーブルを参照して、更新されたすべての情報の周囲の青色の破線または赤色の実線を更新状況に応じた太さの線で表示してもよい。
【００３０】
以上、本発明の第二の実施形態による表示制御装置１０の処理フローについて説明したが、第二の実施形態による表示制御装置１０の処理により、風景画像などある１つの更新可能な情報を更新する際に、その情報に関連付けられているホテル画像などの更新可能な他の情報を、所定のユーザ操作により指定した時点での最新情報を表示することができる。また同時に、更新された情報であることを示す周囲の青色の破線の太さや赤色の実線の太さにより更新状況を視覚的にユーザに報知することで、指定した時間と実際に表示されるデータの生成された時間との差、または現在と実際に表示されるデータの生成された時間との差、または指定した時間における更新頻度（更新された回数／単位時間）といった更新状況をユーザに報知するができる。
【００３１】
＜第三の実施形態＞
本発明の第三の実施形態による表示制御装置１０について説明する。
第三の実施形態による表示制御装置１０は、図２で示した第一や第二の実施形態による表示制御装置１０と同様の構成であり、表示制御部１０１の機能が異なる。
ここで、表示制御部１０１は、場所情報の変更指示を取得して、この変更指示で特定された場所情報に関連付けられた場所関連情報を変更指示に基づいて表示部１１０に表示する際に、変更指示を取得した時点で表示していた他の場所関連情報の表示の際に入力操作によって指定された時間を基準として最新の時間情報に関連付けられた場所関連情報を読み出して表示部１１０に表示する機能部である。
【００３２】
図１５は、表示制御装置１０のアプリケーションプログラムにおいて都市を紹介する画面の一例を示す図である。
この図１５で示される表示制御装置１０のアプリケーションプログラムにおいて都市を紹介する画面は、図１３で示した表示制御装置１０のアプリケーションプログラムにおいて都市を紹介する画面に加え、現在表示している情報の都市とは別の都市を選択できるアイコン「Ａ」を表示している。なお、現在表示している情報の都市とは別の都市を選択できる機能は、図５で示したような入力欄に都市を入力して選択してもよい。
【００３３】
図１６は、本発明の第三の実施形態による表示制御装置１０の処理フローを示す図である。
次に、本実施形態による表示制御装置１０の処理フローを説明する。
本実施形態による表示制御装置１０の処理フローは、第二の実施形態の処理を行い、そのあとにステップＳ８〜ステップＳ１０の処理を行う場合の処理フローである。
【００３４】
まず、第二の実施形態の処理フローと同様にステップＳ１〜ステップＳ４と、ステップＳ６〜ステップＳ７の処理を行う。この状態において、表示制御部１０１は、例えば東京の情報を表示部１１０に表示しているとする。そこで、ユーザが例えば、ハワイのアイコンをタップしたとする。すると、表示制御部１０１は、ステップＳ７の処理に続き、現在東京に対して表示中の時間（年月日と時刻）に対して最新情報となるハワイの変更可能な情報とハワイに関する解説やリンク情報を記憶部１１１から読み出し、ハワイの情報を表示部１１０に表示する（ステップＳ８）。そして、表示制御部１０１は、ハワイの更新情報に対して更新状況を情報の周囲の青色の破線または赤色の実線を更新状況に応じた太さの線で表示する（ステップＳ９）。
【００３５】
以上、本発明の第三の実施形態による表示制御装置１０の処理フローについて説明したが、第三の実施形態による表示制御装置１０の処理により、ユーザによりハワイへの場所情報の変更指示を取得して、この変更指示で特定された場所情報であるハワイに関連付けられた場所関連情報をその変更指示に基づいて表示部１１０に表示する際に、変更指示を取得した時点で表示していた東京の場所関連情報の表示の際に入力操作によって指定された時間を基準として最新の時間情報に関連付けられた場所関連情報を読み出して表示部１１０に表示することができる。
【００３６】
なお本発明の実施形態について説明したが、上述の表示制御装置１０は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３７】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３８】
１０・・・表示制御装置
１０１・・・表示制御部
１１０・・・表示部
１１１・・・記憶部
【図１】
2014182556.tif 000003
【図２】
2014182556.tif 000004
【図３】
2014182556.tif 000005
【図４】
2014182556.tif 000006
【図５】
2014182556.tif 000007
【図６】
2014182556.tif 000008
【図７】
2014182556.tif 000009
【図８】
2014182556.tif 000010
【図９】
2014182556.tif 000011
【図１０】
2014182556.tif 000012
【図１１】
2014182556.tif 000013
【図１２】
2014182556.tif 000014
【図１３】
2014182556.tif 000015
【図１４】
2014182556.tif 000016
【図１５】
2014182556.tif 000017
【図１６】
2014182556.tif 000018